(57)【特許請求の範囲】
【請求項１】
消火設備の配管に逆止弁を備えた消火設備において、
前記逆止弁は、二次配管に接続される二次側接続部と、一次配管に接続される一次側接続部と、両接続部の間に形成された通水口と、配管内に流水がないときは前記通水口を閉塞する主弁体と、前記配管内に流水がないときは排水口を開放する排水弁とを有し、
前記一次側接続部は、通水路を介して前記通水口と連通し、前記排水口は前記通水路の途中を大気に開放するように設けられ、
前記主弁体が前記通水口を閉塞したときは該主弁体と連動して前記排水弁が前記排水口を開放するようにし、流水によって前記主弁体が前記通水口を開放したときは該主弁体と連動して前記排水弁が前記排水口を閉塞するように構成したことを特徴とする消火設備。
【請求項２】
前記逆止弁の二次側にスプリンクラヘッドが設けられた配管を接続して、火災時に直ちにスプリンクラヘッドから放水できるように該配管内に充水し、前記逆止弁に一次側に常時は閉じられた作動弁を介して水道配管を接続し、該作動弁と前記逆止弁の一次側との間を大気に開放することを特徴とする請求項１記載の消火設備。
【発明の詳細な説明】
【０００１】
【発明の属する技術分野】
本発明は、消火設備に係り、さらに詳しくは、消火水を送水する配管に排水機能を有する逆止弁を備えた消火設備に関するものである。
【０００２】
【従来の技術】
従来、スプリンクラ消火設備の連結送水配管や、消火栓の元弁の二次配管などにおいては、通水後の残水を排水するために自動排水弁が設けられている。この自動排水弁は、配管内の圧力によって開閉するように構成されていて、配管内の圧力が所定値より大きいときは閉じており、圧力がなくなったときは開放するようになっている。
【０００３】
【発明が解決しようとする課題】
従来の自動排水弁は上記のように構成されているので、配管内の残圧がなくならない限り排水は不可能である。
このような問題を解決するために、配管に大気に開放された小孔を設けて減圧することも考えられるが、このようにすると、常時ある程度の捨て水が発生するため好ましくない。また、住宅等のスプリンクラ消火設備において、配管内に水停滞すると、ときとして生活用水にその停滞水（死に水）が混入するおそれがあり、好ましくない。
【０００４】
本発明は、上記の課題を解決するためになされたもので、通水後には残水を自動的に排水することにより、配管内に死に水がほとんど滞留することのない排水機能を有する逆止弁を備えた消火設備を提供することを目的としたものである。
【０００５】
【課題を解決するための手段】
本発明に係る消火設備は、消火設備の配管に逆止弁を備えた消火設備において、前記逆止弁は、二次配管に接続される二次側接続部と、一次配管に接続される一次側接続部と、両接続部の間に形成された通水口と、配管内に流水がないときは前記通水口を閉塞する主弁体と、前記配管内に流水がないときは排水口を開放する排水弁とを有し、前記一次側接続部は、通水路を介して前記通水口と連通し、前記排水口は前記通水路の途中を大気に開放するように設けられ、前記主弁体が前記通水口を閉塞したときは該主弁体と連動して前記排水弁が前記排水口を開放するようにし、流水によって前記主弁体が前記通水口を開放したときは該主弁体と連動して前記排水弁が前記排水口を閉塞するように構成したものである。
【０００６】
また、上記逆止弁の二次側にスプリンクラヘッドが設けられた配管を接続して、火災時に直ちにスプリンクラヘッドから放水できるように該配管内に充水し、前記逆止弁に一次側に常時は閉じられた作動弁を介して水道配管を接続し、該作動弁と前記逆止弁の一次側との間を大気に開放するようにしたものである。
【０００７】
【発明の実施の形態】
［実施の形態１］
図１は本発明の実施の形態１に係る排水機能を有する逆止弁を備えた消火設備を集合住宅に実施した例を示す説明図である。
図において、１は水道配管（図示せず）に接続された給水本管、２は給水本管１から分岐し、給水栓２ａを介して各住戸（または各階）に配管された給水管で、各住戸内の蛇口その他の給水栓（図示せず）が接続されている。３は各住戸ごとに給水管２に設けた減圧弁、４は同じくメータである。
【０００８】
５は住戸外において給水管２から分岐したスプリンクラ消火設備用の立上り管で、上部には各住戸に配管された枝管６が接続されており、この枝管６には各住戸ごとに火災検知機能を有するスプリンクラヘッド７が接続されている。
８は立上り管５に接続され、常時は閉じられてモータ９により開閉する作動弁、１０は作動弁８の下流側において立上り管５に接続された逆止弁である。以下、この逆止弁１０の一例を図２により説明する。
【０００９】
図２において、１１はほぼ円筒状のハウジングで、上部にはめねじを有し二次配管に接続される二次側接続部１２が設けられており、下部にはめねじからなる後述の連結部材１５の接続部１３が設けられている。
１５は連結部材で、１６は外周におねじを有しハウジング１１の接続部１３に接続される接続部であり、その中心部には凹部１７が形成されており、さらに凹部１７の中心部にはこれより小径で凹部１７側に弁座１９を有する通水口１８が設けられている。２０はめねじを有し一次配管に接続される一次側接続部で、下部が開口された通水路２１を介して通水口１８と連通している。
【００１０】
２２は主弁体で、連結部材１５の接続部１６に回動可能に、かつ、下方に回動時に凹部１７内に収容しうるように軸支されており、下面には作動桿２３が設けられている。
２５は連結部材１５の通水路２１の下部開口部を閉塞し、ボルト３１により固定されて通水路２１を形成する閉塞部材で、排水管（図示せず）が接続される排水口２６を備えている。２７は通水路２１側において排水口２６の近傍に設けられた軸２８に回動可能に支持された排水弁で、排水口２６を開閉する弁体２９と、この弁体２９の反対側において所定の角度で一体的に、かつ主弁体２２の作動桿２３と対向して軸２８に設けられた板状の作動片３０とからなっている。
【００１１】
次に、上記のように構成した逆止弁１０の作用を説明する。定常状態（流水のない状態）では、主弁体２２は自重により下方に回動して凹部１７内に収容され、下面が弁座１９に密着して通水口１８を閉塞している。
一方、主弁体２２の回動によって下降した作動桿２３は、排水弁２７の作動片３０を押圧して弁体２９を反時計回り方向に回動させ、排水口２６を開放して主弁体２２の一次側、つまり通水路２１を大気に開放する。
【００１２】
いま、例えば火災の発生により作動弁８が開放して加圧された水道水が連結部材１５の通水路２１に送られると、図３に示すように、その水圧により主弁体２２が矢印ａ方向に回動して通水口１８を開放し、水道水を通水口１８からハウジング１１内を経て二次側に送水する。
また、主弁体２２が矢印ａ方向に回動すると、作動桿２３が排水弁２７の作動片３０から離れるため、排水弁２７は自重及び作動桿３０に加わる水圧によって時計回り方向に回動し、弁体２９により排水口２６を閉塞する。これにより、水道水は漏れることなく一次側から二次側へ送られる。
【００１３】
火災が鎮火して水道水の送水が停止すると、主弁体２２は自重により反矢印ａ方向に回動して通水口１８を閉塞する。このとき、作動桿２３が排水弁２７の作動片３０を押圧して弁体２９を反時計回り方向に回動させ、排水口２６を開放して一次側を大気に開放する。
これにより、二次側の水は主弁体２２により逆流が阻止され、また、一次側に残存する水の大部分は排水口２６から排出される。
【００１４】
再び図１において、３１は住戸外に設置された制御装置で、スプリンクラヘッド７からの火災信号を受信し、これに基いて作動弁８のモータ９に制御信号を出力する。また、この制御装置３１は各住戸に設けた住戸受信機（図示せず）に火災信号その他の信号を送信する。
【００１５】
次に、上記のような逆止弁１０を備えた集合住宅におけるスプリンクラ消火設備の作用について説明する。
初期状態においては、制御装置３１を操作し又は手動により作動弁８を開放し、給水管２内の水道水を立上り管５から作動弁８、主弁体２２により通水口１８が開放された逆止弁１０を経て枝管６に送水し、枝管６まで充水されたときは作動弁８を閉止する。これにより、逆止弁１０に流れる水流がなくなり、主弁体２２を押し上げる水圧がなくなるので逆止弁１０の主弁体２２が閉塞され、作動弁８までは圧力水（水道水）が、また、逆止弁１０の二次側から枝管６まではほぼ無圧状態の水道水がそれぞれ充水される。そして、作動弁８と逆止弁１０の一次側との間は、前述のように逆止弁１０の排水弁２７により排水口２６が開放されて管内の大部分の水が排出され、大気に開放される。
【００１６】
ある住戸で火災が発生すると、その火炎や熱気流によってスプリンクラヘッド７に設けた火災検知部が火災を検知して火災信号を制御装置３１に送信する。また、これと同時あるいはこれより若干遅れてスプリンクラヘッド７が作動して枝管６内の水（消火用水）を放出する。
火災信号を受信した制御装置３１は、これに基いてモータ９に制御信号を送って作動弁８を開放し、給水管２から加圧された水道水（消火用水）を逆止弁１０を介して枝管６に送水し、スプリンクラヘッド７から放出して消火する。
このとき、逆止弁１０の主弁体２２は、前述のように消火水の水圧によって通水口１８を開放し、排水弁２７は排水口２６を閉塞している。
【００１７】
火災が鎮火すると、制御装置３１を操作して作動弁８を閉止し、消火用水の送水を停止する。これにより、逆止弁１０の主弁体２２は、前述のように通水口１８を閉塞して二次側の立上り管５及び枝管６内に充水された消火水の逆流を阻止し、また、排水弁２７によって排水口２６が開放され、一次側の残水の大部分は排水口２６から排水される。
【００１８】
上記のように構成した本実施の形態によれば、流水があると逆止弁１０の主弁体２２が通水口１８を開放して排水弁２７が排水口２６を閉じるので、一次側の消火用水を漏れることなく二次側に送水することができる。また、流水がなくなれば、主弁体２２が通水口１８を閉塞して排水弁２７が排水口２６を開放するので、二次側の消火用水の逆流を防止すると共に、配管内の残水が排水されるので、配管内に残留した死に水が生活用水に混入するおそれがない。
【００１９】
また、主弁体２２が逆止弁１０の機能を有するため、二次側の配管内に充水して湿式状態にすることができるので、火災時に直ちにスプリンクラヘッド７から放水することができる。
さらに、このような逆止弁１０を有する配管系の場合、なんらかの理由で逆止弁１０が一時的に開放されると、逆止弁１０の二次側の水が一次側に入り込むことがあるが、本実施の形態によれば、このような場合、作動弁８が閉じており、二次側の水は排水口２６から排水されるため、給水管２に入り込むおそれはない。すなわち、二次側の配管を湿式状態にしても、二次側配管内の水が一次側の水道水に混入するのを確実に防止することができる。
【００２０】
［実施の形態２］
図４は本発明の要部をなす逆止弁の実施の形態２の説明図である。図において、３５はほぼＬ字状のハウジングで、一次側の接続口３６及び二次側の接続口３７を備えており、両接続口３６，３７の間には縮径された通水口３８が形成され、通水口３８の二次側には弁座３９が設けられている。４０は通水口３８の直下に設けられた下部が拡径された排水口である。
【００２１】
４１は開閉弁で、ほぼ球形状に形成されて弁座３９の二次側に位置する主弁体であるチャッキ弁４２と、ほぼ円錐状に形成されて排水口４０の下方に位置する排水弁４３と、チャッキ弁４２と排水弁４３を一体的に連結するロッド４４とによって構成されている。
【００２２】
上記のように構成した本実施の形態においては、常時はチャッキ弁４２が自重により下降して弁座３９に密着し、通水口３８を閉塞して一次側と二次側を遮断している。また、このチャッキ弁４２と一体的に連結された排水弁４３は下降して排水口４０を開放し、一次側を大気に開放している。
【００２３】
火災の発生により一次側に加圧された水道水（消火用水）が送水されると、図５に示すように、チャッキ弁４２はその水圧によって上昇して通水口３８を開放すると共に、排水弁４３が上昇して排水口４０を閉塞する。これにより、一次側の消火用水は漏水することなく、通水口３８を経て二次側に送水される。
火災が鎮火して消火用水の送水が停止すると、チャッキ弁４２は自重により下降して弁座３９に着座すると共に、排水弁４３が下降して排水口４０を開放する。これにより、二次側に充水された消火用水の逆流を防止すると共に、一次側の残水を排水口４０から排水し、一次側を大気に開放する。
本実施の形態においてはも、実施の形態１の場合と同様の効果を得ることができる。
【００２４】
上記の説明では、本発明に係る消火設備を集合住宅のスプリンクラ消火設備に実施した場合を示したが、本発明はこれに限定するものではなく、例えば、消火栓の元弁の二次配管等、他の消火設備にも実施することができる。
また、火災検知機能を有するスプリンクラヘッドを用いた場合を示したが、火災感知器とスプリンクラヘッドとを別々に設置してもよい。
【００２５】
【発明の効果】
本発明に係る消火設備は、消火設備の配管に、この配管内に流水がないときは通水口を閉塞する主弁体と、配管内に流水がないときは排水口を開放する排水弁とを有し、流水によって主弁体が通水口を開放したときはこの主弁体と連動して排水弁が排水口を閉塞するように構成した逆止弁を備えたので、配管内に流水がなくなりしだい配管内の水を排水することができ、圧力によって開閉される自動排水弁に比べて優れた効果が得られる。
【００２６】
また、上記の逆止弁の二次側に、スプリンクラヘッドが設けられた配管を接続して該配管に充水し、逆止弁の一次側に、常時は閉じられた作動弁を介して水道管を接続したので、一次側の消火用水を漏れることなく二次側に送水することができ、また、二次側に充水された消火用水の逆流を防止すると共に、配管内の残水が排水されるので、配管内に残留した水が生活用水に混入するおそれがない。
【図面の簡単な説明】
【図１】  本発明の実施の形態１に係る排水機能を有する逆止弁を備えた消火設備を集合住宅に実施した例を示す説明図である。
【図２】  図１の逆止弁の縦断面図である。
【図３】  図２の逆止弁の作用説明図である。
【図４】  実施の形態２に係る逆止弁の説明図である。
【図５】  図４の逆止弁の作用説明図である。
【符号の説明】
１  給水本管、２  給水管、５  立上り管、６  枝管、７  スプリンクラヘッド、８  作動弁、１０  逆止弁、１１，３５  ハウジング、１５  連結部材、１８，３８  通水口、１９，３９  弁座、２１  通水路、２２，４２  主弁体、２３  作動桿、２５  閉塞部材、２６  排水口、２７，４３  排水弁、２９  弁体、３０  作動片、４４  ロッド。
【図１】
0003969472.tif 000002
【図２】
0003969472.tif 000003
【図３】
0003969472.tif 000004
【図４】
0003969472.tif 000005
【図５】
0003969472.tif 000006